(57)【要約】【課題】靴の軽量化、ネジレ防止、フィット性の向上、突き上げの諸問題を同時に解決する靴底を提供する【解決手段】ミッドソール２の一部を強化する強化部材３は、第２アーチ３Ｃの上面３６と第１アーチの下面２９とが互いに向かい合うように配置される。第１アーチ２Ｃの下面２９の少なくとも一部が、第２アーチの上面３６の一部に対して上下に離間して互いに非接触となっており、これにより、第１アーチ２Ｃおよび第２アーチ３Ｃにおける非接触の部分同士は、着地の衝撃が加わった際に、互いに独立して変形することが可能である。【選択図】        図１
2006136715.tif 000002
【特許請求の範囲】
【請求項１】
強化構造を備えた靴底であって、前記靴底は、アウターソールと、前記アウターソールの上面に取り付けられるミッドソールと、前記ミッドソールの一部を強化する強化部材とを備え、
前記ミッドソールは中足部を有し、
前記ミッドソールは樹脂の発泡体で形成されていると共に、中足部の底部には第１アーチを有し、
前記第１アーチは下面を有し、
前記ミッドソールの前記第１アーチには前記アウターソールが実質的に付着されておらず、
前記強化部材は、第２アーチを有すると共に、前記第２アーチの前方の前端部と前記第２アーチの後方の後端部とを有し、
前記第２アーチは、上面と下面とを有し、
前記強化部材の前端部は、前記第１アーチの前方において、前記ミッドソールまたは前記アウターソールのうちの少なくとも一方に接合されており、
前記強化部材の後端部は、前記第１アーチの後方において、前記ミッドソールまたは前記アウターソールのうちの少なくとも一方に接合されており、
前記強化部材のヤング率は、前記ミッドソールにおける第１アーチのヤング率よりも大きい値に設定されており、
前記第１アーチの下面には、前記第１アーチのヤング率よりもヤング率の大きい部材が実質的に付着されておらず、
ここにおいて、前記強化部材は、前記第２アーチの上面と前記第１アーチの下面とが互いに向かい合うように配置され、
前記第１アーチの下面の少なくとも一部が、前記第２アーチの上面の少なくとも一部に対して上下に離間して互いに非接触となっており、
これにより、前記第１アーチおよび前記第２アーチにおける非接触の部分が定義され、当該非接触の部分同士は、着地の衝撃が加わった際に、互いに独立して変形することが可能である靴底。
【請求項２】
強化構造を備えた靴底であって、前記靴底は、接地面と前記接地面とは逆の上面を有するアウターソールと、上面および下面を有し、前記下面が前記アウターソールの上面に取り付けられると共に前記アウターソールの上面を覆うミッドソールと、前記ミッドソールの一部を強化する強化部材とを備え、
前記ミッドソールは足の中足部に覆われる第１アーチを有し、
前記第１アーチは樹脂の発泡体で形成されていると共に下面を有し、
前記強化部材は第２アーチを有すると共に、前記第２アーチの前方の前端部と前記第２アーチの後方の後端部とを有し、
前記第２アーチは、上面と下面とを有し、
前記第２アーチが前記第１アーチに覆われるように配置されており、
前記強化部材の前端部は、前記第１アーチの前方において、前記ミッドソールまたは前記アウターソールのうちの少なくとも一方に接合されており、
前記強化部材の後端部は、前記第１アーチの後方において、前記ミッドソールまたは前記アウターソールのうちの少なくとも一方に接合されており、
前記第１アーチおよび第２アーチは、前記アウターソールの上面に実質的に付着されておらず、かつ、前記アウターソールの接地面が着地する際に接地せず、
前記第２アーチのヤング率は、前記第１アーチのヤング率よりも大きい値に設定されており、
前記第１アーチの下面には、前記ミッドソールの第１アーチのヤング率よりもヤング率の大きい部材が実質的に付着されておらず、
ここにおいて、前記強化部材は、前記第２アーチの上面と前記第１アーチの下面とが互いに向かい合うように配置され、
前記第１アーチの下面の少なくとも一部が、前記第２アーチの上面の一部に対して上下に離間して互いに非接触となっており、
これにより、前記第１アーチおよび前記第２アーチにおける非接触の部分が定義され、当該非接触の部分同士は、着地の衝撃が加わった際に、互いに独立して変形することが可能である靴底。
【請求項３】
請求項２において、
着地の衝撃が加わった際に、前記第１アーチの下面の非接触の部分の下方への変位量が前記第２アーチの上面の非接触の部分のそれよりも大きくなるように設定されている靴底。
【請求項４】
請求項２において、
前記強化部材は２つの側部を有し、前記２つの側部が前記ミッドソールに接合されている靴底。
【請求項５】
請求項２において、
前記第１アーチの下面は凹面を形成する第１曲面を有し、前記第２アーチの上面は上方に向って凸の第２曲面を有する靴底。
【請求項６】
請求項２において、
前記第１アーチの下面と前記第２アーチの上面とによって領域が定義され、
前記領域に空洞が形成されている靴底。
【請求項７】
請求項２において、
前記第１アーチの下面と前記第２アーチの上面とによって領域が定義され、
前記領域には前記ミッドソールよりもヤング率が小さく、かつ、容積変化の可能な充填材が充填されている靴底。
【請求項８】
請求項６において、
前記強化部材の周縁の全周が前記ミッドソールに接合されていることで前記領域が密閉されている靴底。
【請求項９】
請求項７において、
前記強化部材の周縁の全周が前記ミッドソールに接合されていることで前記領域が密閉されている靴底。
【請求項１０】
請求項６において、
前記第２アーチを上下に貫通する開口を有する靴底。
【請求項１１】
請求項２において、
前記ミッドソールの第１アーチはエチレン−酢酸ビニル共重合体の発泡体からなり、
前記強化部材はポリウレタンの非発泡体、あるいは、エチレン−酢酸ビニル共重合体の発泡体若しくは非発泡体からなる靴底。
【請求項１２】
請求項２において、
前記強化部材は、前記第２アーチにおける足の内側および外側に内外の側部を更に有し、
前記強化部材の内外の側部は、前記ミッドソールに接合されている靴底。
【請求項１３】
請求項２において、
前記アウターソールは、足のアーチに対応する位置において前足部と後足部とに分割されており、
前記アウターソールの前足部および後足部は、それぞれ、上面と下面とを有し、
前記強化部材の前端部が、前記アウターソールの前足部の上面と前記ミッドソールの下面との間で挟持されており、
前記強化部材の後端部が、前記アウターソールの後足部の上面と前記ミッドソールの下面との間で挟持されている靴底。
【請求項１４】
請求項２において、
前記ミッドソールは、上ミッドソール本体および下ミッドソール本体とを含み、
前記上下のミッドソール本体は、エチレン−酢酸ビニル共重合体で形成されており、
前記強化部材の前端部および後端部の双方が、前記上ミッドソール本体と下ミッドソール本体との間に挟まれた状態で前記強化部材が上下のミッドソール本体に接合されている靴底。
【請求項１５】
請求項２において、前記強化部材は第１強化部材を構成しており、
前記第１強化部材とは別の第２強化部材が設けられ、
前記第２強化部材は前記第１強化部材の下方に配置されている靴底。
【請求項１６】
請求項２において、
前記第１アーチの前後方向の中心線および第２アーチの前後方向の中心線は、少なくとも足の舟状骨、立方骨または楔状骨のいずれかの真下の位置に設定されている靴底。
【請求項１７】
請求項２において、
前記第１アーチは上面を有し、
前記第１アーチの上面は概ね足のアーチに沿うように、上方に向って凸の第３曲面を有する靴底。
【請求項１８】
請求項２において、
前記第２アーチの下面は、上方に向って凹んだ凹面を形成する第４曲面を有する靴底。
【請求項１９】
足を支える表面と底面とを有し、該底面が中足アーチ部と残りの部分とを含むミッドソールと、
接地面と上面とを有し、前記ミッドソールの底面の前記残りの部分に付着され、当該残りの部分と同一の広がりを有するアウターソールと、
前記中足アーチ部において前記ミッドソールの底面に形成され、下方に向って凹の底面を有する第１アーチと、
前記中足アーチ部のための強化部材とを備え、
前記強化部材は、前記第１アーチの底面に向って上方に向って凸の上面を有する第２強化アーチを備え、前記第１および第２アーチは互いに並んで配置され、
そのような上面および底面の一部は互いに離間した関係にあり、そのような一部は靴底に荷重を負荷した場合に互いに独立して変形し、
ここにおいて、前記第２強化アーチは前記第１アーチよりも大きなヤング率を有し、前記第１アーチの下面には前記第１アーチのヤング率よりもヤング率の大きい部材が実質的に付着されていない靴底。
【発明の詳細な説明】
【技術分野】
【０００１】
本発明は、いわゆるシャンク（強化部材）を有する強化構造を備えた靴底に関する。
【背景技術】
【０００２】
靴底のアーチ部においてミッドソールのアーチの形状に合わせた強化部材を有する靴底、たとえば、アウターソールの着地時に、アウターソールに付着されていないミッドソールの部分が接地しない靴底、は公知である。そのような強化構造はミッドソールの変形を抑制することでミッドソールの踏まず部の剛性を補強する。ここで、そのような公知の構造の例を，図９（ａ），図９（ｂ）、図１０（ａ），図１０（ｂ），図１０（ｃ）に示す。
【０００３】
図９（ａ）は特開平１０−１５５５１１号公報（要約）（公開日  平成１０年６月１６日）に開示された靴底の側面図である。この靴底は、ミッドソール２の上面に、足のアーチの変形をサポートする支持部材３を備えている。前記支持部材３とミッドソール２との間に空間Ｒが設けられている。
【０００４】
図９（ｂ）は実用新案登録第３０７０４４２号公報（図２）（登録日  平成１２年５月１０日）に開示された靴底の底面図である。この靴底は、ミッドソール２の下面に取り付けられた密閉容器からなる衝撃吸収材３を有する。当該衝撃吸収材３は、いわゆるシャンクとして機能し、靴底の形状維持を図る。
【０００５】
図１０（ａ）は実開７−４４２６８号公報（要約）（公開日  平成７年１１月１４日）に開示された靴底の断面図である。この靴底において、ミッドソール２の後足部に凹部Ｃが設けられている。当該凹部Ｃには、後足部の変形の防止のための補強片３が設けられている。
【０００６】
図１０（ｂ）は、特開２００３−１９００４号公報（図５）（公開日  平成１５年１月２１日）に開示された靴底の側面図である。この靴底において、ミッドソール２の踏まず部の底部には、アーチＣが形成されている。当該アーチＣの下面には第１強化部材３が付着されていると共に、前記第１強化部材３の下方には、第２強化部材４が設けられている。
【０００７】
図１０（ｃ）は特開２０００−１３９５０８号公報（要約）（公開日  平成１２年５月２３日）に開示された靴底の側面図である。この靴底において、ミッドソール２の下面の強化部材３の前後の端部３ｆ，３ｂがミッドソール２およびアウターソール１によって挟持される。これにより、ミッドソール２のアーチの落ち込みを防止する。
【０００８】
【特許文献１】特開平１０−１５５５１１号公報  （要約）
【特許文献２】実用新案登録第３０７０４４２号公報  （図２）
【特許文献３】実開平７−４４３６８号公報  （要約）
【特許文献４】特開２００３−１９００４号公報  （図５）
【特許文献５】特開２０００−１３９５０８号公報  （要約）
【発明の開示】
【０００９】
概して公知の構造においては、強化構造が靴底の足のアーチに在る位置に設けられる。かかる構造により、靴底、特に中足部、の軽量化が図られると共に、靴底のネジレが防止される。
しかし、かかる構造は、しばしば、着用者にとって固すぎ、着用者の足にフィットし難いミッドソールのアーチを形成する。すなわち、かかる構造を有する靴底のフィット性は低い。
また、特に着地の際に、ミッドソールのアーチの上面の一部が足裏のアーチに部分的に強く接触するので、着用者はいわゆる“突き上げ”を感じる。すなわち、着用者は足裏が上方に突き上げられている、または、下から押し上げられていると感じる。
前述の技術は、いずれも、重量において軽く、ネジレを防止し、フィット性が向上し、前述の突き上げを防止する靴底を提供しない。すなわち、前記各特許文献の技術では、前記軽量化、ネジレ防止、フィット性の向上、突き上げの諸問題を同時に解決し得ない。
【００１０】
したがって、本発明は重量において軽く、ネジレを防止し、フィット性が向上し、突き上げを防止する靴底を提供することを目的とする。
【００１１】
前記目的を達成するために、新規な強化構造を有する靴底が提供される。
本発明の１つの態様において、靴底は、アウターソールと、前記アウターソールの上面に取り付けられるミッドソールと、前記ミッドソールの一部を強化する強化部材とを備えている。
前記ミッドソールは中足部を有する。前記ミッドソールは樹脂の発泡体で形成されていると共に、中足部の底部には第１アーチを有する。前記第１アーチは下面を有する。前記ミッドソールの前記第１アーチには前記アウターソールが実質的に付着されていない。
前記強化部材は、第２アーチを有すると共に、前記第２アーチの前方の前端部と前記第２アーチの後方の後端部とを有する。前記第２アーチは、上面と下面とを有する。前記強化部材の前端部は、前記第１アーチの前方において、前記ミッドソールまたはアウターソールのうちの少なくとも一方に接合されている。前記強化部材の後端部は、前記第１アーチの後方において、前記ミッドソールまたはアウターソールのうちの少なくとも一方に接合されている。
前記強化部材のヤング率は、前記ミッドソールにおける第１アーチのヤング率よりも大きい値に設定されている。前記第１アーチの下面には、前記第１アーチのヤング率よりもヤング率の大きい部材が実質的に付着されていない。
前記第１アーチの下面は、必要に応じて、上方に窪んだ凹面である第１曲面を有してもよく、前記第２アーチの上面は、必要に応じて、上方に向って凸の第２曲面を有してもよい。
【００１２】
前記強化部材は、前記第２アーチの上面と前記第１アーチの下面とが互いに向かい合うように配置されている。前記第１アーチの下面の少なくとも一部が、前記第２アーチの上面の少なくとも一部に対して上下に離間して互いに非接触となっている。すなわち、前記ミッドソールの第１アーチの下面の少なくとも一部が前記強化部材に対して上下に離間して非接触となっており、また、前記強化部材の第２アーチの上面の少なくとも一部が前記ミッドソールに対して上下に離間して非接触となっている。かかるミッドソールと強化部材の配置により、前記第１アーチの非接触の部分および第２アーチの非接触の部分が定義される。
これにより、前記第１アーチおよび前記第２アーチにおける非接触の部分同士は、着地の衝撃が加わった際に、互いに独立して変形することが可能である。
【００１３】
本発明において、「第１アーチにはアウターソールが実質的に付着されていない」との用語の使用により、第１アーチのいずれの部分にもアウターソールが付着されていない場合や、第１アーチの一部にアウターソールが付着されていても本発明の第１アーチの機能が阻害されない場合（たとえば、第１アーチの縁にのみアウターソールが付着されている場合）を含むことが意味される。
【００１４】
本発明の靴底の別の態様においては、靴底は、接地面と前記接地面とは逆の上面を有するアウターソールと、上面および下面を有し、前記下面がアウターソールの上面に取り付けられると共にアウターソールの上面を覆うミッドソールと、前記ミッドソールの一部を強化する強化部材とを備えている。
【００１５】
なお、本発明において、「ミッドソールの下面がアウターソールの上面に取り付けられる」との用語の使用により、ミッドソールの下面がアウターソールの上面に直接取り付けられる場合や、ミッドソールとアウターソールとの間に別の部材が介挿されてミッドソールの下面がアウターソールの上面に間接的に接合されている場合を含むことが意味される。
【００１６】
前記ミッドソールは足の中足部に覆われる第１アーチを有する。前記第１アーチは樹脂の発泡体で形成されていると共に下面を有する。前記強化部材は第２アーチを有すると共に、前記第２アーチの前方の前端部と後方の後端部とを有する。前記第２アーチは、上面と下面とを有する。前記第２アーチは前記第１アーチに覆われるように配置されている。前記強化部材の前端部は、前記第１アーチの前方において、前記ミッドソールまたはアウターソールのうちの少なくとも一方に接合されている。前記強化部材の後端部は、前記第１アーチの後方において前記ミッドソールまたはアウターソールのうちの少なくとも一方に接合されている。
前記第１アーチおよび第２アーチは、前記アウターソールの上面に実質的に付着されておらず、かつ、前記アウターソールの接地面が着地する際に接地しない。前記第２アーチのヤング率は、前記第１アーチのヤング率よりも大きい値に設定されている。前記第１アーチの下面には、実質的に、前記ミッドソールの第１アーチのヤング率よりもヤング率の大きい部材が付着されていない。
前記第１アーチの下面は、必要に応じて、上方に窪んだ凹面である第１曲面を有してもよく、前記第２アーチの上面は、必要に応じて、上方に向って凸の第２曲面を有してもよい。
【００１７】
ここにおいて、前記強化部材は、前記第２アーチの上面と前記第１アーチの下面とが互いに向かい合うように配置されている。前記第１アーチの下面の少なくとも一部が、前記第２アーチの上面の一部に対して上下に離間して互いに非接触となっており、これにより、第１アーチおよび第２アーチの非接触の部分が定義される。
かかる構成により、前記第１アーチおよび前記第２アーチにおける非接触の部分同士は、着地の衝撃が加わった際に、互いに独立して変形することが可能である。
【００１８】
本発明の靴底において、足が着地すると、足の着地の際の衝撃荷重が接地面からミッドソールを介して足裏に伝わる。この着地の際、ミッドソールの第１アーチおよび強化部材の第２アーチは、それぞれ、変形する。両アーチのうちの互いに非接触の部分同士は、互いに独立して変形する。
【００１９】
ここでミッドソールの第１アーチは樹脂の発泡体で形成されており、強化部材よりもヤング率が小さい。第１アーチのヤング率は、着用者が第１アーチが柔らかく感じる程度の値に設定されている。
【００２０】
ミッドソールは足の中足部（踏まず部）に覆われる第１アーチを有するので、ミッドソールの底部がえぐられているから、ミッドソールの踏まず部の厚さをできる限り小さくできる。
このように、ミッドソールのうち、足の中足部に覆われる部分は、比較的薄く、かつ、柔らかいので、ミッドソールは足のアーチの形状にフィットしやすくなる。
本発明において、「足の中足部に覆われる第１アーチを有する」との記載により、第１アーチの前後方向の中心線が足のアーチの前後方向の中心線と互いに一致ないし近接するように、第１アーチが形成されている場合を含むことが意味される。前記第１アーチおよび第２アーチの前後方向の中心線が、少なくとも、足の舟状骨、立方骨または楔状骨のいずれかの真下の位置になるように設定されているのが好ましい。
更に、前記第１アーチと第２アーチとが互いに上下に離間して非接触となっている（第１アーチが第２アーチと接触しないように第１アーチと第２アーチとが互いに対面しており、かつ、互いに上下に離間している）ので、足の着地時に、当該非接触の部分において、ミッドソールの第１アーチが十分に沈み込むことができるので、“突き上げ”が緩和される。
【００２１】
第１アーチの下面には、前記第１アーチのヤング率よりもヤング率の大きな部材が実質的に付着されていない。これにより、前記第１アーチの柔軟性が維持され、前記足裏のアーチへのフィット性や“突き上げ”緩和作用が不必要に阻害されることがない。
【００２２】
ここで、「第１アーチのヤング率よりヤング率の大きな部材が実質的に付着されていない」とは、前記第１アーチのヤング率よりもヤング率の大きな部材が第１アーチの下面に付着（積層されて固着）されていないか、あるいは、そのような部材が付着されていても、足の着地時に前記第１アーチの下面が第２アーチの上面よりも大きく変形することを許容することが意味される。例えば、第１アーチの下面の一部にのみ前記ヤング率の大きな部材が付着されている場合や、前記ヤング率の大きな部材が付着されていても当該部材の厚みが極めて薄い（例えば、0.5mm 以下、好ましくは 0.2mm以下、更に好ましくは 0.1mm以下）場合には、前記ヤング率の大きな部材が実質的に付着されていない。また、第１アーチのヤング率よりもヤング率の小さな部材が付着されていても、第１アーチのヤング率よりもヤング率の大きな部材が付着されていない場合や第１アーチの下面に単に塗料が塗布されている場合も、本発明に含まれる。
【００２３】
本発明においては、第１アーチの下面に第２アーチのヤング率よりもヤング率の大きな部材が実質的に付着されていないのが好ましい。「第２アーチのヤング率よりもヤング率の大きな部材が実質的に付着されていない」との記載により、たとえば、第１アーチの下面に何ら部材が付着（積層されて固着）されていない場合や、第１アーチの下面に単に塗料が塗布されている場合を含むことが意味される。さらに、たとえば、第２アーチのヤング率よりもヤング率が小さい部材が第１アーチの下面に付着されていても、第２アーチのヤング率よりもヤング率が大きな部材が第１アーチの下面に付着されていない場合や、第２アーチよりも薄いフィルム状の部材が第１アーチの下面に積層されて固着されていても、第２アーチよりも厚肉の部材が第１アーチの下面に付着されていない場合には、前記第２アーチのヤング率よりもヤング率の大きな部材が実質的に付着されていない。前記フィルム状の部材のヤング率は、第２アーチのヤング率よりも小さくてもよく、第２アーチのヤング率と同じでもよく、第２アーチのヤング率よりも大きくてもよい。前記フィルム状の部材の厚さは、たとえば、 0.5mm以下に設定され、好ましくは 0.2mm以下に設定され、更に好ましくは 0.1mm以下に設定される。
【００２４】
一般に、発泡体や強化部材はヤング率を基準に作製されず硬度を基準に作製される。たとえば、前記第１アーチを形成する発泡体の硬度は、ＳＲＩＳ−Ｃ硬度（日本ゴム協会標準規格のＣ型硬度計により測定した値）の３０〜８０°の程度の範囲に設定される。一方、前記第２アーチを形成する強化部材の硬度は、ＪＩＳＡ硬度の７０〜１００°程度の範囲に設定される。ＪＩＳＡ硬度はＪＩＳＫ６３０１に準拠してＪＩＳＡ型硬度計により測定して得られる値である。
【００２５】
また、ミッドソールに第１アーチを形成したので、前記第１アーチが形成される部分でミッドソールがえぐられるから、ミッドソールの軽量化が図られる。
その一方で、ミッドソールのえぐられた部分は強化部材により補強されて、靴底のネジレに対する強度が向上する。
【００２６】
更に、第１アーチの下面と第２アーチの上面とが互いに向かい合うように配置されている。すなわち、第１アーチの下面と第２アーチの上面とは互いに相対している。これにより、足へのフィット感を高める部分を補強する効果が高まる。
【００２７】
なお、本発明において、“足のアーチ”とは、足の中足部における三日月状に窪んだ部分をいう。一方、ミッドソールや強化部材の“アーチ”型は、広く門型を包含し、円弧状や弓形の形状を含むが、これらの形状に限定されるものではない。
すなわち、強化部材の第２“アーチ”は、当該強化部材の第２“アーチ”の下方において足の内から外に向って連続する空洞が形成される形状を意味し、ミッドソールの第１“アーチ”は、前記強化部材が取り付けられていない状態では、当該ミッドソールの第１“アーチ”の下方において足の内から外に向って連続する空洞が形成される形状を意味する。したがって、当該強化部材の第２“アーチ”の下方において、足の内から外へ向ってくぐり抜けができる。また、前記強化部材が取り付けられていない状態では、前記ミッドソールの第１“アーチ”の下方において、足の内から外へ向ってくぐり抜けができる。
【００２８】
ミッドソールの第１アーチの上面は、概ね足裏のアーチに沿って、上方に凸となるように湾曲し、かつ、第１アーチの下面は第１アーチの下方に通路を形成するように凹んでいるのが好ましい。強化部材の第２アーチの上面は前記第１アーチの下面に対面し、かつ、第２アーチの下面は上方に向って凹んだ曲面を有するのが好ましい。強化部材の第２アーチは前記ミッドソールの第１アーチを強化する。
【００２９】
本発明においては、第１アーチの下面が、必要に応じて、円弧状に窪んだ第１曲面を有していてもよく、前記第２アーチが、必要に応じて、上方に向って凸の円弧状の第２曲面を有していてもよい。
前記第２アーチの上面が上方に向って凸の第２曲面を有しているので、強化部材に外力が働くと、応力の分布の均等化（応力の分散）が図られる。その結果、薄い部材でも大きな剛性や強度を発揮する。
【００３０】
ここにおいて、前記第１曲面および第２曲面は、ミッドソールまたは強化部材の足の中足部に覆われる位置において、足の幅方向の少なくとも一部に設けられていればよい。そのような曲面は、ミッドソールまたは強化部材の足のアーチに覆われる位置において足の幅方向の全幅を覆っている必要はない。
【００３１】
第２アーチは、強化部材の少なくとも一部に設けられていればよく、強化部材の全幅にわたって設けられている必要はない。
【００３２】
第２アーチは足のアーチの幅方向の一部のみを覆うようにしてもよいし、足のアーチの一部のみ、たとえば、内側または外側のみに、配置されてもよい。
【００３３】
また、強化部材は、ミッドソールの足の中足部に覆われる位置の少なくとも一部に設けられていればよく、例えば、足の内側および／または外側や中央の一部に設けられてもよい。
【発明を実施するための最良の形態】
【００３４】
本発明は、添付の図面を参考にした以下の好適な実施例の説明からより明瞭に理解されるであろう。しかしながら、実施例および図面は単なる図示および説明のためのものであり、本発明の範囲は請求の範囲によって定まる。添付図面において、複数の図面における同一の部品番号は、同一または相当部分を示す。
【００３５】
第１実施例：
以下、本発明の第１実施例を図面に従って説明する。この第１実施例では、本発明の原理的な実施例が示され、靴底の基本的な構造および原理を説明される。
図１（ａ），（ｂ）は、中足部、つまり、足の踏まず部における靴底Ｓの概略断面図である。なお、矢印Ｆは靴の前方、矢印Ｂは靴の後方を示す。
【００３６】
図１（ａ）に示すように、靴底Ｓは、アウターソール１、ミッドソール２および前記ミッドソール２を強化するための強化部材３を備えている。
【００３７】
前記アウターソール１は、足のアーチの真下の位置で、前足部１ｆと後足部１ｂに分割されている。アウターソール１の各部１ｆ，１ｂは、それぞれ、着地時に地面に接する接地面１５と、当該接地面１５とは反対側の上面１６とを有している。
【００３８】
図１（ａ）に示すように、ミッドソール２は上面２６および下面２５を有する。ミッドソール２の下面２５の一部は、アウターソール１を上から覆うように、前記アウターソール１の上面１６に付着されている。このミッドソール２の底部２２には、足のアーチの真下の位置において、第１アーチ２ｃが形成されている。第１アーチ２ｃは、ミッドソール２の下面２５がアーチ状にえぐられて形成されており、そのため、第１アーチ２ｃに凹面の下面２９が形成されている。
【００３９】
第１アーチ２ｃの上面は概ね足のアーチに沿って上方に凸となるように湾曲した第３曲面１２０を有している。この第３曲面１２０は、幅方向の中央部分では緩やかに湾曲しており、内側部分においては大きく湾曲している。
【００４０】
前記強化部材３は、第２アーチ３ｃ、当該第２アーチ３ｃの前方の端部３ｆおよび前記第２アーチ３ｃの後方の端部３ｂを備えている。前記第２アーチ３ｃは、図１（ａ）に示すように、上方に向って膨らんだように形成されている。第２アーチ３ｃの上面３６は上方に向って凸の曲面であり、下面３５は下方に向って凹の曲面である。すなわち、第２アーチ３ｃの下面３５は上方に向って凹んだ第４曲面１３０を有する。強化部材３は、第２アーチ３ｃが第１アーチ２ｃにより上方から覆われるように、配置される。
【００４１】
強化部材３は、前記前後の端部３ｆ，３ｂがアウターソール１とミッドソール２との間で挟み込まれることで支持されている。すなわち、図１（ａ）に示すように、前端部３ｆがアウターソール１の前足部１ｆの上面１６とミッドソール２の下面２５との間で挟持され、後端部３ｂがアウターソール１の後足部１ｂの上面１６とミッドソールの下面２５との間で挟持されており、これにより、強化部材３は支持されている。
【００４２】
この強化部材３は、前記第１アーチ２ｃに相当する位置における靴底Ｓの強度を維持し、靴底Ｓのネジレ等を防止する。そのため、強化部材３のヤング率は、前記ミッドソール２における第１アーチ２ｃのそれよりも大きい値に設定されている。
【００４３】
図１（ａ）に示すように、前記第２アーチ３ｃの上面３６と前記ミッドソール２の第１アーチ２ｃの下面２９とは、互いに向かい合うように配置されている。そして、前記第２アーチ３ｃの上面３６と前記第１アーチ２ｃの下面２９とは互いに上下に離間して非接触の状態である。この両面３６，２９は互いに非接触であり、領域Ｒを定義し、この領域Ｒは空洞である。
【００４４】
図１（ｂ）に示すように、足の着地の際に靴底Ｓのアウターソール１の接地面１５に衝撃荷重Ｗ１が加えられる。この際、衝撃荷重Ｗ１は、アウターソール１およびミッドソール２を介して足裏に伝わる。同時に、足裏からの（上方からの）荷重Ｗ２がミッドソール２に加わる。前記上方からの荷重Ｗ２によって、ミッドソール２は圧縮されると共に、下方に沈み込む。
【００４５】
この際、前記第１アーチ２ｃは前記強化部材３の第２アーチ３ｃと離間して配置されているので、第１アーチ２ｃの下面２９と前記第２アーチ３ｃの上面３６とは互いに独立して変形する。すなわち、第１アーチ２ｃの下面２９の下方への沈み込み（反り）は、前記強化部材３によって阻害されることはない。このミッドソール２の沈み込み（反り）によってミッドソール２の足裏に対するフィット性が向上すると共に、足の着地の際の“突き上げ”が減じられ、あるいは、緩和される。
【００４６】
この場合、着地の衝撃が加わった際に、前記第１アーチ２ｃの下面２９の非接触部分の下方への変位量が前記第２アーチ３ｃの上面３６の非接触部分の下方への変位量よりも大きくなるように設定されていることが好ましい。かかる設定により、下方からの“突き上げ”感が更に小さくなる。
【００４７】
一方、前記強化部材３は、湾曲しているので変形しにくくなっていると共に、強化部材３のヤング率が前記ミッドソール２のそれよりも大きく設定されている。そのため、靴底Ｓの剛性および強度が維持され、ミッドソールのネジレが防止される。
【００４８】
図１（ｃ），図１（ｄ）は変形例を示す。
図１（ｃ）に示す変形例では、第１アーチ２ｃの一部と第２アーチ３ｃの一部に、それぞれ突部１２１，１３１が設けられ、第１および第２アーチ２ｃ，３ｃの突部１２１，１３１同士が互いに接触している。かかる場合、前記第１アーチ２ｃの突部１２１が比較的大きな圧縮変形を呈し、一方、両アーチ２ｃ，３ｃの非接触の部分は互いに独立して変形する。したがって、本変形例においても、ミッドソール２は前述の沈み込みの作用を有する、すなわち、下方にゆがみ、圧縮する。
【００４９】
図１（ｄ）に示すように、第１アーチ２ｃの下面２９に孔２３を設け、第２アーチの上面に当該孔２３に嵌合可能な突起部３３を設けてもよい。
また、強化部材３の前後の端部３ｆ，３ｂは、必ずしも、アウターソール１とミッドソール２との間で挟み込む必要はない。両端部３ｆ，３ｂは、図１（ｃ），図１（ｄ）のように、単にアウターソール１に接合または付着されるようにしてもよい。
【００５０】
第２実施例：
次に、具体的な第２実施例を、図２，図３，図４，図５にしたがって説明する。なお、以下の実施例において、第１実施例と同一部分または相当部分には同一符号を付して、その詳しい説明および図示を省略する。
【００５１】
図２（ａ）はアウターソール１ｆ，１ｂを付着した状態の靴底Ｓの側面図である。図２（ｂ）はアウターソールを付着していない状態の靴底Ｓの底面図である。
図２（ａ）に示すように、前記靴底Ｓは、上ミッドソール本体２８、下ミッドソール本体２７および強化部材３を備えている。本実施例では、上下のミッドソール本体２８，２７がミッドソール２を構成する。下ミッドソール本体２７は足のアーチに対応する位置で前部２７ｆと後部２７ｂに分割されている。前記前部２７ｆの下面２５ｆにはアウターソールの前足部１ｆが付着されており、前記後部２７ｂの下面２５ｂにはアウターソールの後足部１ｂが付着されている。上ミッドソール本体２８の足のアーチに対応する位置には、図４に示すように、第１アーチ２ｃが設けられている。強化部材３には第２アーチ３ｃが設けられている。強化部材３は、第２アーチ３ｃの前方の前端部３ｆ、第２アーチ３ｃの後方の後端部３ｂ、第２アーチ３ｃの外側の外側部３０，第２アーチ３ｃの内側の内側部３１を有する。
【００５２】
図３に示すように、前記下ミッドソール本体２７、上ミッドソール本体２８および強化部材３は、互いに組み立てられる。この組立において、上下のミッドソール本体２８，２７の間に強化部材３の前後の端部３ｆ，３ｂが挟み込まれ、かつ、内外の側部３１，３０は上ミッドソール本体２８に接合される。下ミッドソール本体２７の前部２７ｆ，後部２７ｂには、強化部材３の前後の端部３ｆ，３ｂが接合するための接合面５１ａ，５１ｂが設けられている。図４の上ミッドソール本体２８には、前記強化部材３の前後の端部３ｆ，３ｂが接合するための接合面５２ａ，５２ｂおよび前記強化部材３の内外の側部３１，３０が接合するための接合面５３ａ，５３ｂが設けられている。
【００５３】
組み立てられた靴底Ｓにおいて、図１１に示すように、前記第１アーチ２ｃおよび第２アーチ３ｃは足の中足部に覆われる。すなわち、ミッドソール２の第１アーチ２ｃおよび強化部材の第２アーチ３ｃの前後方向の中心線８２は、足のアーチの前後方向の中心線８１と近接している。たとえば、前記中心線８２は足の舟状骨７５および楔状骨７７を通る位置に設定されてもよい。この第１アーチ２ｃおよび第２アーチ３ｃの中心線８２は、足の立方骨７６を通るように設定してもよい。このように、第１アーチ２ｃおよび第２アーチ３ｃの中心線８２の足のアーチに対する位置はある範囲に置かれる。
また、図５（ａ）の断面図に示すように、第１アーチ２ｃの下面２９と第２アーチ３ｃの上面３６とが互いに向かい合うように上下方向に離間して配置されている。したがって、前記第１実施例と同様に、着地時には第２アーチ３ｃに向って上ミッドソール本体２８が沈み込む。
【００５４】
前記第１アーチ２ｃの下面２９には、図４に示すように、円弧状に窪んだ第１曲面６２，６２が第１アーチ２ｃの内外に設けられている。なお、図５（ａ）に示すように、前記第１アーチ２ｃの下面２９には、第１アーチ２ｃの前後の端部においても、そのような曲面６２，６２が設けられている。第１アーチ２ｃの下面２９の前後方向の中央部分は極めて緩やかに湾曲しているか、あるいは、概ねフラットまたは平面状である。
【００５５】
前記第２アーチ３ｃの上面３６には、図３に示すように、上方に向って円弧状に凸の第２曲面６３，６３が第２アーチの内外に設けられている。また、図５（ａ）に示すように、前記第２アーチ３ｃの上面３６には、第２アーチ３ｃの前後の端部においてもそのような第２曲面６３が設けられている。前記第２アーチ３ｃの上面３６の残りの部分（たとえば、前後の中央部分）は極めて緩やかに湾曲しているか、あるいは、概ねフラットまたは平面状である。
前記第１および第２曲面６２，６３は、横断方向に沿った中心線を中心として概ね円弧状に形成されている。第１および第２曲面６２，６３は、互いに向かい合うように配置されている。すなわち、第１および第２曲面６２，６３は互いに相対している。
【００５６】
また、強化部材３の前後の端部３ｆ，３ｂに加えて、図５（ｂ）の断面図に示すように、強化部材３の外側部３０および内側部３１も上ミッドソール本体２８に接合している。すなわち、強化部材３の全周縁が上ミッドソール本体２８に接合されている。かかる接合により、靴の屈曲防止やネジレ防止の機能が向上する。
【００５７】
かかる靴の屈曲防止やネジレ防止の機能について説明する。
屈曲防止の機能は、断面の形状面においては、中立軸に関する断面二次モーメントＩy に相関する。
本実施例では、強化部材３の周縁が全周にわたって上ミッドソール本体２８に接合されているので、強化部材３が上ミッドソール本体２８と一体となって屈曲する。そのため、断面二次モーメントＩy は、前記上ミッドソール本体２８の下面と強化部材３とが離間していることにより、増大する。
したがって、屈曲防止の機能が向上する。
【００５８】
一方、ネジレ防止の機能は、断面の形状面においては、図心に関する断面二次極モーメントＩp に相関する。
本実施例では、強化部材３の周縁が全周にわたって上ミッドソール本体２８に接合されていることにより、強化部材３は上ミッドソール本体２８と一体となって捩じれる。そのため、断面二次極モーメントＩp は、前記上ミッドソール本体２８の下面と強化部材３とが離間していることにより、増大する。
したがって、ネジレ防止の機能が向上する。
【００５９】
また、図３，図４に示すように、強化部材３の周縁３７の全部が上ミッドソール本体２８に接合することで、上ミッドソール本体２８および強化部材３（図５（ａ））との間に、密閉された又は閉じられた空間（領域）Ｒが形成される。すなわち、上ミッドソール本体２８の第１アーチ２ｃの下面２９と強化部材３の第２アーチ３ｃの上面３６とで、密閉された又は閉じられた領域Ｒが定義される。かかる強化部材３の周縁３７の全体を封じる接合構造により、前記領域Ｒに閉じ込められた空気が前記第２アーチ３ｃをソフトに支持するので、上ミッドソール本体２８の第１アーチ２ｃが低下し過ぎるのを防止し得る。
【００６０】
前記上下のミッドソール本体２８，２７は、エチレン−酢酸ビニル共重合体（ＥＶＡ）の発泡体で形成するのが好ましい。しかし、前記上下のミッドソール本体２８，２７は、他の樹脂の発泡体で形成されてもよい。なお、上下のミッドソール本体２８，２７の間の接着性を向上させて上下のミッドソール本体２８，２７がより安定して強化部材３を支持できるように、上下のミッドソール本体２８，２７は同種の素材で形成するのが好ましい。上下のミッドソール２８，２７と強化部材３との接着性を向上させるためである。
強化部材３は非発泡のポリウレタンで形成することができるし、非発泡・発泡の他の樹脂で形成することができる。強化部材３を形成するのに用いられる樹脂素材の例は、ナイロン、繊維強化プラスチック（ＦＲＰ）、炭素繊維強化プラスチック（ＣＦＲＰ）、ポリアミド、ポリエステル、ポリプロピレン、ボリ塩化ビニル（ＰＶＣ）、アクリルニトリル−ブタジエン−スチレン（ＡＢＳ）、スチロール、ＥＶＡ等である。強化部材３の素材としては、強度があり、成形しやすい非発泡の樹脂が用いられるのが好ましい。また、透明な樹脂で強化部材３を形成すると、靴のデザイン性が向上する。好ましい透明な樹脂は、ミッドソールの主要素材であるＥＶＡの発泡体と接着性の良い非発泡のポリウレタンもしくはＥＶＡである。
【００６１】
なお、本実施例においては、ミッドソール２は上下のミッドソール本体２８，２７に分されているが、必ずしも分割される必要はない。ミッドソール２は、一体に、すなわち、一体の１個のユニットとして、形成されてもよい。また、ミッドソール２にゲルなどの衝撃吸収体を装填して靴底を組み立ててもよい。
図４に示すように、本実施例においては、第１アーチ２ｃの第１曲面６２が第１アーチ２ｃの内外に１つずつ設けられているが、第１曲面６２は内外の一方にのみ設けられてもよいし、第１アーチ２ｃの内外に連なるように形成されてもよい。第２アーチ３ｃの第２曲面６３も第１アーチ２ｃと同様に形成することができる。
【００６２】
第３実施例：
図６（ａ）は第３実施例を示す靴底の縦断面図である。
図６（ａ）に示すように、第１強化部材３９と第２強化部材４０とが、設けられている。第２強化部材４０は第１強化部材３９とは別の部材である。第２強化部材４０は第１強化部材３９の下方に配置される。
【００６３】
第１強化部材３９は、前記第１および第２実施例における強化部材３に相当するものであり、第２アーチ３ｃを有する。当該第２アーチ３ｃはミッドソール２の第１アーチ２ｃと向かい合うように、かつ、互いに上下に離間して、配置される。
一方、第２強化部材４０は第１強化部材３９を補強するためのものである。この第２強化部材４０は、足のアーチにおいて靴底のネジレ防止を更に防止する。
【００６４】
図６（ａ）では、第２強化部材４０の前端部４０ｆおよび後端部４０ｂは、ミッドソール２とアウターソール１との間で挟み込んでいる。任意に、図６（ｂ）のように、下ミッドソール本体２７と上ミッドソール本体２８との間で挟み込んでもよいし，図６（ｃ）のように、下ミッドソール本体２７とアウターソール１との間で挟み込んでもよい。
【００６５】
第２強化部材４０は、前記第１強化部材３９の第２アーチ３ｃの下方で、第１強化部材３９と同様に湾曲していてもよいが、図６（ｃ）のように、概ねフラットに形成してもよい。
また、前記第１強化部材３９および第２強化部材４０のヤング率は互いに異っていてもよい。好ましくは、第１強化部材３９と第２強化部材４０のヤング率が同等か、あるいは、第１強化部材３９のヤング率が第２強化部材４０のヤング率より小さくなるように設定する。
【００６６】
第４実施例：
図７（ａ），（ｂ），（ｃ）は第４実施例を示す靴底の断面図である。
図７（ａ）の横断面図のように、第１強化部材３９が上ミッドソール本体２８の下面２８ｂに付着されていると共に、上ミッドソール本体２８の下面２８ｂには靴の略前後方向に延びる帯状の溝６１が形成されている。これにより、前記溝６１が形成された位置では、図７（ｂ）の縦断面図のように、第１アーチ２ｃの下面２９と第２アーチ３ｃの上面３６とが互いに上下に離間して、中空部Ｒが形成される。したがって、前記溝６１が形成された位置（たとえば、図７（ａ）のVIIb-VIIb で示される位置）では、前記各実施例と同様に、上ミッドソール本体２８が下方に沈み込むことができる。一方、溝が形成されていない位置（たとえば、図７（ａ）のVIIc-VIIc で示される位置）においては、図７（ｃ）の縦断面図のように、第２アーチ３ｃの上面３６が第１アーチ２ｃの下面２９に接している。
【００６７】
第５実施例：
図１２（ａ），図１２（ｂ）は、第５実施例を示す靴底の断面図である。
図１２（ａ）の縦断面図のように、ミッドソール２の第１アーチ２ｃの下面２９にフィルム状の部材９１が積層されて、固着されている。これにより、第１アーチ２ｃの下面２９が補強されて、ミッドソール２の第１アーチ２ｃが低下し過ぎるのを防止できる。したがって、ミッドソール２の第１アーチ２ｃを薄くすることが可能となる。このフィルム状の部材９１は強化部材３の第２アーチ３ｃよりも薄く形成されている。
【００６８】
なお、本実施例において、第１アーチ２ｃの下面２９の下方への沈み込みを許容して、所望の突き上げ緩和の効果を得るためには、前記フィルム状の部材９１と強化部材３との剛性比を所定の範囲に設定するのが好ましい。すなわち、前記フィルム状の部材９１における平均の厚さＴ91とヤング率Ｅ91との積の、第２アーチ３ｃにおける平均の厚さＴ3cとヤング率Ｅ3cとの積に対する比率は概ね１／４以下（Ｔ91・Ｅ91／（Ｔ3c・Ｅ3c）≦１／４）に設定される。この比率は、概ね１／６以下に設定されるのが好ましく、概ね１／１０以下に設定されるのが更に好ましいと推測される。
【００６９】
また、この比率は少なくとも概ね１／１０００以上に設定されるのが好ましく、概ね１／１００以上に設定されるのが更に好ましい。フィルム状部材９１がある程度の剛性を有することで、第１アーチ２ｃの下面２９の過度の沈み込みを防止するためである。
フィルム状の部材９１の厚さは、たとえば、概ね0.01mm〜 0.2mmの範囲に設定される。第２アーチ３ｃの厚さは概ね 1.0mm以上に設定するのが好ましく、概ね 1.5mm〜 3.0mmの範囲に設定するのが更に好ましい。
【００７０】
本実施例においては、図１２（ｂ）の横断面図のように、第１アーチ２ｃおよび強化部材３は、それぞれ、足の幅方向に２分割されている。外側の強化部材３００および内側の強化部材３０１は、それぞれ、２つの側部３０２，３０２を有する。前記側部３０２，３０２は、それぞれ、ミッドソール２に接合され、これにより、２つの密閉された領域Ｒが足の内側および外側に形成されている。
【００７１】
図８（ａ），（ｂ），（ｃ），（ｄ）は、ミッドソールの第１アーチの部分における靴底の底面図であり、強化部材３の異なる形態を示す。
前記第２実施例では強化部材３が第１アーチ２ｃの全面を覆う。しかし、強化部材３は必ずしもそのような形状にする必要はない。強化部材３は、強化部材３の一部がミッドソールまたはアウターソールに接合できる形状であればよい。したがって、強化部材３の平面形状は、例えば、図８（ａ）に示す略“Ｉ型”の平面形状、図８（ｂ）に示す略“Ｘ型”の平面形状，図８（ｃ）に示す略“Ｎ型”の平面形状に形成することができる。また、図８（ｄ）に示すように、強化部材３の中央に第２アーチ３ｃを上下に貫通する開口７０を有するように形成してもよい。
【００７２】
以上のとおり、図面を参照しながら好適な実施例を説明したが、当業者であれば、本明細書を見て、自明な範囲で種々の変更および修正を容易に想定するであろう。
例えば、靴底に設けられる強化部材を足の内外に分割してもよいし、強化部材を足の内外の一方にのみ設けてもよい。また、第１アーチと第２アーチとの間の領域には、ミッドソールよりもヤング率が小さく、かつ、容積変化の可能な発泡体または充填材を装填してもよい。
したがって、そのような変更および修正は、請求の範囲から定まる本発明の範囲内のものと解釈される。
【産業上の利用可能性】
【００７３】
本発明は、ランニングシューズ等の運動靴の他、様々な靴に利用することができる。
【図面の簡単な説明】
【００７４】
【図１】（ａ），（ｂ）は第１実施例を示す靴底の縦断面図、（ｃ），（ｄ）は同靴底の変形例を示す縦断面図である。
【図２】（ａ）は第２実施例を示す靴底の側面図、（ｂ）は同底面図である。
【図３】図２（ａ），図２（ｂ）の靴底の上面側からみた靴底パーツの分解斜視図である。
【図４】図２（ａ），図２（ｂ）の靴底の底面側からみた靴底パーツの分解斜視図である。
【図５】（ａ）は図２（ｂ）の Va-Va線断面図、（ｂ）は図２（ｂ）の Vb-Vb線断面図である。
【図６】（ａ）は第３実施例の靴底の縦断面図、（ｂ），（ｃ）は同靴底の変形例を示す縦断面図である。
【図７】（ａ）は第４実施例を示す靴底の横断面図、（ｂ）は図７（ａ）の VIIb-VIIb線断面図，（ｃ）は図７（ａ）のVIIc-VIIc 線断面図である。
【図８】（ａ），（ｂ），（ｃ），（ｄ）は、強化部材の異なる形態を示す靴底の底面図である。
【図９】（ａ），（ｂ）は、それぞれ、公知の靴底を示し、（ａ）はある公知の靴底の縦断面図、（ｂ）は他の公知の靴底の底面図である。
【図１０】（ａ），（ｂ），（ｃ）は、それぞれ、別の公知の靴底を示し、（ａ）はある公知の靴底の縦断面図、（ｂ）は他の公知の靴底の側面図、（ｃ）は更に他の公知の靴底の縦断面図である。
【図１１】本発明の靴底と足の骨との関係を示す靴底の縦断面図である。
【図１２】（ａ）は第５実施例を示す靴底の縦断面図、（ｂ）は同靴底の横断面図である。
【符号の説明】
【００７５】
１：アウターソール
１５：接地面
１６：アウターソールの上面
１ｆ：前足部
１ｂ：後足部
２：ミッドソール
２５：ミッドソールの下面
２６：ミッドソールの上面
２ｃ：第１アーチ
２９：第１アーチの下面
３：強化部材
３ｃ：第２アーチ
３ｆ：前端部
３ｂ：後端部
３５：第２アーチの下面
３６：第２アーチの上面
３７：周縁
３８：開口
３９：第１強化部材
４０：第２強化部材
６２：第１曲面
６３：第２曲面
【図１】
2006136715.tif 000003
【図２】
2006136715.tif 000004
【図３】
2006136715.tif 000005
【図４】
2006136715.tif 000006
【図５】
2006136715.tif 000007
【図６】
2006136715.tif 000008
【図７】
2006136715.tif 000009
【図８】
2006136715.tif 000010
【図９】
2006136715.tif 000011
【図１０】
2006136715.tif 000012
【図１１】
2006136715.tif 000013
【図１２】
2006136715.tif 000014
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
足を支える表面と底面とを有し、該底面が中足アーチ部と残りの部分とを含むミッドソールと、
接地面と上面とを有し、前記ミッドソールの底面の前記残りの部分に付着され、当該残りの部分と同一の広がりを有するアウターソールと、
前記中足アーチ部において前記ミッドソールの底面に形成され、下方に向って凹の底面を有する第１アーチと、
前記中足アーチ部のための強化部材とを備え、
前記強化部材は、前記第１アーチの底面に向って上方に向って凸の上面を有する第２アーチを備え、前記第１および第２アーチは互いに並んで配置され、
そのような上面および底面の一部は互いに離間した関係にあり、そのような一部は靴底に荷重を負荷した場合に互いに独立して変形し、
ここにおいて、前記第２アーチは前記第１アーチよりも大きなヤング率を有し、前記第１アーチの下面には前記第１アーチのヤング率よりもヤング率の大きい部材が実質的に付着されていない靴底。
【請求項２】
請求項１において、前記強化部材は第１強化部材を構成しており、
前記第１強化部材とは別の第２強化部材が設けられ、
前記第２強化部材は前記第１強化部材の下方に配置されている靴底。
【請求項３】
請求項１において、
前記第１アーチの下面と前記第２アーチの上面とによって領域が定義され、
前記領域に空洞が形成され、
前記強化部材の周縁の全周が前記ミッドソールに接合されていることで前記領域が密閉されている靴底。
【請求項４】
請求項１において、
前記第１アーチの下面と前記第２アーチの上面とによって領域が定義され、
前記領域には前記ミッドソールよりもヤング率が小さく、かつ、容積変化の可能な充填材が充填されている靴底。
【請求項５】
請求項４において、
前記強化部材の周縁の全周が前記ミッドソールに接合されていることで前記領域が密閉されている靴底。